(57)【要約】  ユーザ端末は、一以上の設定グラントの構成情報を受信する受信部と、前記一以上の設定グラントの構成情報、及び、前記一以上の設定グラントの構成情報を含むセットの少なくとも一つの区別を制御する制御部と、を具備することを特徴とする。
2020090093.tif 000002
【特許請求の範囲】
【請求項１】
一以上の設定グラントの構成情報を受信する受信部と、
前記一以上の設定グラントの構成情報、及び、前記一以上の設定グラントの構成情報を含むセットの少なくとも一つの区別を制御する制御部と、
を具備することを特徴とするユーザ端末。
【請求項２】
前記制御部は、前記構成情報の各々に付与されるインデックス、又は、前記セットに付与されるインデックスに基づいて、前記構成情報及び前記セットの少なくとも一つの区別を制御することを特徴とする請求項１に記載のユーザ端末。
【請求項３】
前記制御部は、前記構成情報の各々に用いられる無線ネットワーク一時識別子（ＲＮＴＩ）、又は、前記セットに用いられる無線ネットワーク一時識別子（ＲＮＴＩ）に基づいて、前記構成情報及び前記セットの少なくとも一つの区別を制御することを特徴とする請求項１に記載のユーザ端末。
【請求項４】
前記制御部は、下り制御情報内の所定ビットの値に基づいて、前記構成情報の少なくとも一つ又は前記セットのアクティブ化又は非アクティブ化を制御することを特徴とする請求項１から請求項３のいずれかに記載のユーザ端末。
【請求項５】
前記制御部は、前記所定ビットの各値と前記構成情報又は前記セットとのマッピングを制御することを特徴とする請求項４に記載のユーザ端末。
【請求項６】
前記一以上の設定グラントの構成情報は、第１のリリース用の設定グラントの構成情報であり、
前記制御部は、前記構成情報の各々に用いられる下り制御情報のフォーマット及びサイズの少なくとも一つ、又は、前記構成情報の各々に用いられる無線ネットワーク一時識別子（ＲＮＴＩ）に基づいて、前記第１のリリース用の設定グラントの構成情報と、第２のリリース用の設定グラントの構成情報と、を区別することを特徴とする請求項１から請求項５のいずれかに記載のユーザ端末。
【発明の詳細な説明】
【技術分野】
【０００１】
本開示は、次世代移動通信システムにおけるユーザ端末に関する。
【背景技術】
【０００２】
ＵＭＴＳ（Universal  Mobile  Telecommunications  System）ネットワークにおいて、更なる高速データレート、低遅延などを目的としてＬＴＥ（Long  Term  Evolution）が仕様化された（非特許文献１）。また、ＬＴＥ（３ＧＰＰ（Third  Generation  Partnership  Project）  Ｒｅｌ．（Release）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、５Ｇ（5th  generation  mobile  communication  system）、５Ｇ＋（plus）、ＮＲ（New  Radio）、３ＧＰＰ  リリース（Ｒｅｌ．）１５以降などともいう）も検討されている。
【先行技術文献】
【非特許文献】
【０００４】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００５】
３ＧＰＰ  Ｒｅｌ．１５では、動的グラント（dynamic  grant）を用いるスケジューリングと、設定グラント（configured  grant）を用いるスケジューリングと、が検討されている。【０００６】
また、３ＧＰＰ  Ｒｅｌ．１６では、設定グラントを用いるスケジューリングを拡張することも検討されている。例えば、１つのセル又は一つの帯域幅部分（ＢＷＰ：Bandwidth  Part）において一以上の設定グラント（one  or  more  configured  grants）をＵＥに設定可能する（configure）ことも検討されている。【０００７】
しかしながら、一以上の設定グラントがＵＥに設定される場合、ＵＥは、当該一以上の設定グラントに基づく周期的な上り共有チャネル（例えば、ＰＵＳＣＨ：Physical  Uplink  Shared  Channel）の送信を適切に制御できない恐れがある。同様の問題は、下り（ＤＬ）における下り共有チャネル（ＰＤＳＣＨ：Physical  Downlink  Shared  Channel）のセミパーシステントスケジューリング（ＳＰＳ：Semi-Persistent  Scheduling）の適用時にも生じ得る。【０００８】
そこで、本開示は、周期的な上り共有チャネルの送信又は下り共有チャネルの受信を適切に制御可能なユーザ端末を提供することを目的の１つとする。
【課題を解決するための手段】
【０００９】
本開示の一態様に係るユーザ端末は、一以上の設定グラントの構成情報を受信する受信部と、前記一以上の設定グラントの構成情報、及び、前記一以上の設定グラントの構成情報を含むセットの少なくとも一つの区別を制御する制御部と、を具備することを特徴とする。
【発明の効果】
【００１０】
本開示の一態様によれば、周期的な上り共有チャネルの送信又は下り共有チャネルの受信を適切に制御できる。
【図面の簡単な説明】
【００１１】
【図１】図１は、複数の設定グラント構成のユースケース１の一例を示す図である。
【図２】図２は、複数の設定グラント構成のユースケース２の一例を示す図である。
【図３】図３Ａ及び３Ｂは、第１の態様に係る設定グラント構成の第１の区別の一例を示す図である。
【図４】図４Ａ及び４Ｂは、第１の態様に係る設定グラント構成の第２の区別の一例を示す図である。
【図５】図５は、第２の態様に係るＤＣＩ内の一以上のフィールドの値の一例を示す図である。
【図６】図６は、一実施形態に係る無線通信システムの概略構成の一例を示す図である。
【図７】図７は、一実施形態に係る基地局の構成の一例を示す図である。
【図８】図８は、一実施形態に係るユーザ端末の構成の一例を示す図である。
【図９】図９は、一実施形態に係る基地局及びユーザ端末のハードウェア構成の一例を示す図である。
【発明を実施するための形態】
【００１２】
＜動的グラントベース送信及び設定グラントベース送信（タイプ１、タイプ２）＞
ＮＲでは、動的グラントベース送信（dynamic  grant-based  transmission）及び設定グラントベース送信（configured  grant-based  transmission）が検討されている。
【００１３】
動的グラントベース送信は、下り制御情報（ＤＣＩ：Downlink  Control  Information）（ＵＬグラント）に基づく上り共有チャネル（例えば、ＰＵＳＣＨ（Physical  Uplink  Shared  Channel））を用いたＵＬ送信、又は、ＤＣＩ（ＤＬアサインメント）に基づく下り共有チャネル（例えば、ＰＤＳＣＨ（Physical  Downlink  Shared  Channel））を用いたＤＬ送信である。
【００１４】
設定グラントベース送信は、上位レイヤによって設定された構成（configuration）情報（例えば、設定グラント（configured  grant）、configured  UL  grantなどと呼ばれてもよい）に基づく上り共有チャネル（例えば、ＰＵＳＣＨ）を用いたＵＬ送信、又は、上位レイヤによって設定された構成情報（例えば、sps-config）に基づく下り共有チャネル（例えば、ＰＤＳＣＨ）を用いたＤＬ送信である。
【００１５】
設定グラントベース送信は、ＵＥに対して既にＵＬリソースが割り当てられており、ＵＥは設定されたリソースを用いて自発的にＵＬ送信できるため、低遅延通信の実現が期待できる。
【００１６】
動的グラントベース送信は、動的グラントベースＰＵＳＣＨ（dynamic  grant-based  ＰＵＳＣＨ）、動的グラントを伴うＵＬ送信（UL  Transmission  with  dynamic  grant）、動的グラントを伴うＰＵＳＣＨ（PUSCH  with  dynamic  grant）、ＵＬグラントありのＵＬ送信（UL  Transmission  with  UL  grant）、ＵＬグラントベース送信（UL  grant-based  transmission）、動的グラントによってスケジュールされる（送信リソースを設定される）ＵＬ送信などと呼ばれてもよい。
【００１７】
設定グラントベース送信は、設定グラントベースＰＵＳＣＨ（configured  grant-based  ＰＵＳＣＨ）、設定グラントを伴うＵＬ送信（UL  Transmission  with  configured  grant）、設定グラントを伴うＰＵＳＣＨ（PUSCH  with  configured  grant）、ＵＬグラントなしのＵＬ送信（UL  Transmission  without  UL  grant）、ＵＬグラントフリー送信（UL  grant-free  transmission）、設定グラントによってスケジュールされる（送信リソースを設定される）ＵＬ送信などと呼ばれてもよい。
【００１８】
また、設定グラントベースのＤＬ送信は、セミパーシステントスケジューリング（ＳＰＳ：Semi-Persistent  Scheduling）と呼ばれてもよい。また、設定グラントベースのＵＬ送信は、ＵＬ  ＳＰＳと呼ばれてもよい。本開示において、「設定グラント」は、「ＳＰＳ」、「ＳＰＳ／設定グラント」などと互いに読み替えられてもよい。
【００１９】
設定グラントベース送信については、いくつかのタイプ（タイプ１、タイプ２など）が検討されている。
【００２０】
設定グラントタイプ１送信（configured  grant  type  1  transmission、タイプ１設定グラント）において、設定グラントベース送信に用いるパラメータ（設定グラントベース送信パラメータ、設定グラントパラメータなどと呼ばれてもよい）は、上位レイヤシグナリングのみを用いてＵＥに設定される。
【００２１】
設定グラントタイプ２送信（configured  grant  type  2  transmission、タイプ２設定グラント）において、設定グラント用の構成情報（パラメータ、設定グラントパラメータ）は、上位レイヤシグナリングによってＵＥに設定される。設定グラントタイプ２送信において、設定グラントパラメータの少なくとも一部は、物理レイヤシグナリング（例えば、後述のアクティベーション用下り制御情報（ＤＣＩ：Downlink  Control  Information））によってＵＥに通知されてもよい。
【００２２】
設定グラントパラメータは、上位レイヤ（例えば、ＲＲＣ）の情報要素「ConfiguredGrantConfig」を用いてＵＥに設定されてもよい。設定グラントパラメータは、例えば設定グラントリソースを特定する情報を含んでもよい。設定グラントパラメータは、例えば、設定グラントのインデックス、時間オフセット、周期（periodicity）、トランスポートブロック（ＴＢ：Transport  Block）の繰り返し送信回数（繰り返し送信回数は、Ｋと表現されてもよい）、繰り返し送信で使用する冗長バージョン（ＲＶ：Redundancy  Version）系列、上述のタイマなどに関する情報を含んでもよい。
【００２３】
ここで、周期及び時間オフセットは、それぞれ、シンボル、スロット、サブフレーム、フレームなどの単位で表されてもよい。周期は、例えば、所定数のシンボルで示されてもよい。時間オフセットは、例えば所定のインデックス（スロット番号＝０及び／又はシステムフレーム番号＝０など）のタイミングに対するオフセットで示されてもよい。繰り返し送信回数は、任意の整数であってもよく、例えば、１、２、４、８などであってもよい。繰り返し送信回数がｎ（＞０）の場合、ＵＥは、所定のＴＢを、ｎ回の送信機会を用いて設定グラントベースＰＵＳＣＨ送信してもよい。
【００２４】
ＵＥは、設定グラントタイプ１送信を設定された場合、１つ又は複数の設定グラントがトリガされたと判断してもよい。ＵＥは、設定された設定グラントベース送信用のリソース（設定グラントリソース、送信機会（transmission  occasion）などと呼ばれてもよい）を用いて、動的グラント無しでＰＵＳＣＨ送信を行ってもよい。なお、設定グラントベース送信が設定されている場合であっても、送信バッファにデータがない場合は、ＵＥは設定グラントベース送信をスキップしてもよい。
【００２５】
ＵＥは、設定グラントタイプ２送信を設定され、かつ所定のアクティブ化（activation）信号が通知された場合、１つ又は複数の設定グラントがトリガ（又はアクティブ化）されたと判断してもよい。当該所定のアクティブ化信号（例えば、アクティべーション用ＤＣＩ）は、所定の識別子（例えば、ＣＳ−ＲＮＴＩ：Configured  Scheduling  Radio  Network  Temporary  Identifier）でＣＲＣ（Cyclic  Redundancy  Check）スクランブルされるＤＣＩ（ＰＤＣＣＨ）であってもよい。なお、当該ＤＣＩは、設定グラントのディアクティブ化（deactivation）、再送などの制御に用いられてもよい。
【００２６】
ＵＥは、上位レイヤで設定された設定グラントリソースを用いてＰＵＳＣＨ送信を行うか否かを、上記所定のアクティブ化信号に基づいて判断してもよい。ＵＥは、設定グラントをディアクティブ化するＤＣＩ又は所定のタイマの満了（所定時間の経過）に基づいて、当該設定グラントに対応するリソース（ＰＵＳＣＨ）を解放（リリース（release）、ディアクティベート（deactivate）などと呼ばれてもよい）してもよい。
【００２７】
ＵＥは、アクティブ化された設定グラントベース送信用のリソース（設定グラントリソース、送信機会（transmission  occasion）などと呼ばれてもよい）を用いて、動的グラント無しでＰＵＳＣＨ送信を行ってもよい。なお、設定グラントベース送信がアクティブ化された（アクティブ状態である）場合であっても、送信バッファにデータがない場合は、ＵＥは設定グラントベース送信をスキップしてもよい。
【００２８】
なお、動的グラント及び設定グラントのそれぞれは、実際のＵＬグラント（actual  UL  grant）又はＤＬアサインメントと呼ばれてもよい。つまり、実際のＵＬグラントは、上位レイヤシグナリング（例えば、情報要素（ＩＥ：Information  Element）「ConfiguredGrantConfig」）、物理レイヤシグナリング（例えば、上記所定のアクティブ化信号）又はこれらの組み合わせであってもよい。
【００２９】
ところで、３ＧＰＰ  Ｒｅｌ．１６では、ＵＥは、１つのセル（サービングセル、キャリア等ともいう）又は１つの帯域幅部分（ＢＷＰ：BandWidth  Part、部分帯域）において、一以上の設定グラント（one  or  more  configured  grants）を設定することが検討されている。
【００３０】
また、一つのセル又は一つのＢＷＰにおいて一以上の設定グラントの構成（設定グラント構成（configured  grant（CG）  configuration）、ＣＧ構成等ともいう）を同時に（simultaneously）アクティブ化することも検討されている。例えば、一つのセル又は一つのＢＷＰにおいて一以上の設定グラント構成を設定又はアクティブ化するユースケースとしては、以下のユースケース１、２が想定される。
【００３１】
＜ユースケース１＞
ユースケース１では、複数の設定グラント構成が、異なるトラフィックタイプに対応してもよい。トラフィックタイプ（サービスタイプ、トラフィックプロファイル等ともいう）は、Ｖ２Ｘ（Vehicle-to-Everything）、ＵＲＬＬＣ（Ultra  Reliable  and  Low  Latency  Communications）、ｅＭＢＢ（enhanced  Mobile  Broad  Band）、ｖｏｉｃｅ（音声通信）などであってもよい。
【００３２】
なお、トラフィックタイプは、下位レイヤ（例えば、物理レイヤ、ＭＡＣレイヤなど）では認識されず、上位レイヤ（例えば、ＳＤＡＰ（Service  Data  Adaptation  Protocol）レイヤ等）で認識されてもよい。
【００３３】
下位レイヤにおいて、トラフィックタイプは、通信要件（遅延、誤り率などの要件）、データ種別（音声、データなど）、送信又は受信に用いるパラメータ（例えば、ＭＣＳ（Modulation  and  Coding  Scheme）テーブル、巡回冗長検査（ＣＲＣ：Cyclic  Redundancy  Check）ビットのスクランブル（ＣＲＣスクランブル）に用いられるＲＮＴＩ（Radio  Network  Temporary  Identifier）、ＤＣＩフォーマット、ＤＣＩフォーマットのサイズなど）の少なくとも１つによって認識されてもよい。
【００３４】
図１は、複数の設定グラント構成のユースケース１の一例を示す図である。図１では、複数のトラフィックタイプ（例えば、音声通信サービス用のデータ及び低遅延（low-latency）が要求されるパケットデータ（低遅延パケットデータ））に対して異なる設定グラント構成が設定（configure）され、同時にアクティブ化される一例が示される。
【００３５】
異なるトラフィックタイプは、トラフィックの異なる到着周期（arrival  periodicity）、プロファイル、パケットサイズ、信頼性及び遅延の少なくとも一つについて異なる要求条件を有する。したがって、トラフィックタイプ毎のパラメータ設定（parameter  setting）を有する設定グラント構成が設定されてもよい。
【００３６】
例えば、図１の設定グラント構成＃０では、設定グラント構成＃１よりも長い周期でＰＵＳＣＨ用の周波数領域リソース（例えば、一以上のリソースブロック（ＰＲＢ：Physical  Resource  Block）又は一以上のリソースブロックグループ（ＲＢＧ：Resource  Block  Group））が確保されてもよい。
【００３７】
また、図１の設定グラント構成＃０、＃１では、１回の送信期間（長さ、送信機会（transmission  occasion））が所定数のシンボル又はスロットで構成されてもよい。なお、設定グラント構成＃０、＃１には、繰り返し（repetition）は適用されない（繰り返し係数（repetition  factor）又はアグリゲーション係数（aggregation  factor）＝１）が、所定回数Ｋの繰り返しが適用されてもよい（繰り返し係数又はアグリゲーション係数＞１）。
【００３８】
図１において、設定グラント構成＃０は、音声など、低遅延に関する要求条件が相対的に厳しくないトラフィックタイプに用いられてもよい。設定グラント構成＃１は、低遅延に関する要求条件が相対的に厳しいトラフィックタイプに用いられてもよい。
【００３９】
図１に示すように、同じセル又はＢＷＰに設定される複数の設定グラント構成は、異なるタイプであってもよい。例えば、図１では、設定グラント構成＃０は、ＤＣＩによりアクティブ化又はディアクティブ化が制御されるタイプ２設定グラントであってもよい。一方、設定グラント構成＃１は、ＤＣＩによりアクティブ化又はディアクティブ化が制御されないタイプ１設定グラントであってもよい。
【００４０】
なお、図示しないが、同じセル又はＢＷＰに同一タイプの複数の設定グラント構成が設定されてもよい。例えば、同じセル又はＢＷＰにタイプ１設定グラントの複数の設定グラント構成が設定されてもよい。また、同じセル又はＢＷＰにタイプ２設定グラントの複数の設定グラント構成が設定され、当該複数の設定グラント構成の少なくとも一つがアクティブ化されてもよい。
【００４１】
＜ユースケース２＞
ユースケース２では、低遅延を実現するために、複数の設定グラント構成の開始位置（starting  position）がシフトされてもよい。ユースケース２では、信頼性を向上させるために、各設定グラント構成について所定回数Ｋ（繰り返し係数Ｋ、アグリゲーション係数Ｋ等ともいう）の繰り返しが適用されてもよい。
【００４２】
図２は、複数の設定グラント構成のユースケース２の一例を示す図である。図２では、あるセル又はＢＷＰにおいて、あるトラフィックタイプについて複数の設定グラント構成（例えば、４つの設定グラント構成＃０〜＃３）が設定されて、所定回数Ｋ（例えば、Ｋ＝２）の繰り返しが適用される一例が示される。
【００４３】
図２に示すように、複数の設定グラント構成間では、所定回数Ｋの繰り返しの最初の送信（最初の送信機会）の開始位置がシフトされてもよい。例えば、図２では、設定グラント構成＃０〜＃３間では、それぞれ、最初の送信機会の開始位置が一つの送信機会ずつシフトされる。なお、一つの送信機会は、所定数のシンボル又はスロットで構成されてもよい。
【００４４】
複数の設定グラント構成間では、一以上のパラメータが共通化されてもよい。複数の設定グラント構成間で共通化されるパラメータは、例えば、ＭＣＳインデックス、トランスポートブロックサイズ（ＴＢＳ：Transport  Block  Size）、ＭＩＭＯ（Multiple  Input  Multiple  Output）、復調用参照信号（ＤＭＲＳ：Demodulation  Reference  Signal）の構成、周波数領域リソースの割り当て、時間領域リソースの割り当て、周期、繰り返し係数Ｋ、ＭＣＳテーブル、変換プリコーディング、ＲＢＧのサイズ（１ＲＢＧあたりのＰＲＢ数）、送信電力制御用のパラメータ、ＲＮＴＩ、ＨＡＲＱプロセス番号（ＨＰＮ）、ＨＰＮのオフセット、設定グラント構成のインデックス（識別子（ＩＤ：Identifier））の少なくとも一つであってもよい。
【００４５】
一方、複数の設定グラント構成間では、一以上のパラメータが個別に設定されてもよい。各設定グラント構成毎のパラメータは、例えば、最初の送信機会の開始位置を示すオフセット（時間オフセット、開始タイミング、開始時間オフセット等ともいう）を含んでもよい。
【００４６】
ユースケース２では、複数の設定グラント構成は、同一のタイプであってもよい。例えば、図２では、設定グラント構成＃０〜＃３は、全て、タイプ１設定グラント又はタイプ２設定グラントであってもよい。タイプ２設定グラントの場合、設定グラント構成＃０〜＃３の少なくとも一つがアクティブ化されてもよい。
【００４７】
図２において、ＵＬデータ（トラフィック）が発生すると、ＵＥは、複数の設定グラント構成のうち、最も早く送信できる設定グラント構成を用いてＵＬデータを送信してもよい。例えば、図２のタイミングＴ１〜Ｔ２の期間内でＵＬデータが発生する場合（もしくはデータの送信が準備できた場合）、ＵＥは、設定グラント構成＃３を用いてＵＬデータを送信する。また、タイミングＴ３〜Ｔ４の期間内でＵＬデータが発生する場合（もしくはデータの送信が準備できた場合）、ＵＥは、設定グラント構成＃０を用いてＵＬデータを送信する。
【００４８】
このように、送信機会の開始位置（送信開始タイミング）が異なる複数の設定グラント構成が設定される場合、ＵＬデータの発生タイミングに応じた設定グラント構成を使用する（選択する）ことによって、ＵＬデータの発生からＵＬデータの送信までの遅延を抑えることができる。
【００４９】
１つの設定グラント構成では、繰り返しによって信頼性を高めることができても、設定グラント構成の周期を繰り返しの時間長（周期Ｐ）よりも短くすることができない。一方、図２の例によれば、繰り返しによって信頼性を高めつつ、設定グラント構成の周期を繰り返しの時間長よりも短くすることと同等の遅延に抑えることができる。
【００５０】
以上のように、一つのセル又はＢＷＰにおいて一以上の設定グラント構成が設定又はアクティブ化される場合、当該設定グラント構成をどのように識別するのか、当該設定グラント構成の少なくとも一つのアクティブ化及び非アクティブ化の少なくとも一つ（アクティブ化／非アクティブ化）をどのように制御するのか、が問題となる。
【００５１】
また、既存の設定グラント構成（例えば、３ＧＰＰ  Ｒｅｌ．１５でサポートされる設定グラント構成）と、新たな設定グラント構成（例えば、３ＧＰＰ  Ｒｅｌ．１６で導入される設定グラント構成）とをどのように識別するのかも問題となる。
【００５２】
一つのセル又はＢＷＰに設定される複数の設定グラント構成を適切に識別できない場合、又は、当該複数の設定グラント構成の少なくとも一つのアクティブ化／非アクティブ化を適切に制御できない場合、ＵＥは、上述のユースケース１、２等の複数の設定グラント構成を用いた通信を適切に制御できない恐れがある。
【００５３】
そこで、本発明者らは、ＵＥに設定される一以上の設定グラント構成を識別する方法（第１の態様）、当該設定グラント構成の少なくとも一つのアクティブ化／非アクティブ化を制御する方法（第２の態様）、既存の設定グラント構成及び新たな設定グラント構成を識別する方法（第３の態様）を検討し、本発明に至った。
【００５４】
以下、本開示に係る実施形態について、図面を参照して詳細に説明する。なお、第１〜第３の態様の少なくとも一つの特徴は組み合わせて適用可能である。また、本実施の形態において、「一以上の（one  or  more）」とは、一つ（one）又は複数の（plural）のいずれであってもよい。
【００５５】
以下、「設定グラント」は、「設定グラントの構成（configuration  of  configured  grants）」、「設定グラント構成」と互いに読み替えられてもよい。また、「設定グラントベース送信を行う設定グラントを決定する」ことは、単に「設定グラントを選択する」と呼ばれてもよい。また、「トラフィック」は、「データ」「ＵＬデータ」及び「トランスポートブロック」の少なくとも１つと互いに読み替えられてもよい。
【００５６】
以下、「キャリア」は、「セル」、「コンポーネントキャリア（ＣＣ）」と互いに読み替えられてもよい。
【００５７】
以下の実施形態は、ＵＬに適用される例について主に説明するが、ＤＬに適用されてもよい。例えば、タイプ２設定グラント（又はタイプ３設定グラント）の動作は、ＰＤＳＣＨ（ＳＰＳ  ＰＤＳＣＨ、下りリンクＳＰＳ）にも適用できる。「設定グラント設定（ConfiguredGrantConfig）」は、「ＳＰＳ設定（SPS-Config）」と読み替えられてもよい。「設定グラントＰＵＳＣＨの送信」は、「ＳＰＳ  ＰＤＳＣＨの受信」と読み替えられてもよい。
【００５８】
（第１の態様）
第１の態様では、ＵＥに設定される一以上の設定グラント構成又は一以上の設定グラントセットの区別（differentiation）について説明する。設定グラントセットは、一以上の設定グラント構成を含むセットであり、グループ、構成グループ、設定グラント構成グループ等とも呼ばれる。
【００５９】
具体的には、設定グラント構成又は設定グラントセットのインデックス（第１の区別）、ＲＮＴＩ（第２の区別）、又は、一以上のパラメータ（第３の区別）を用いた区別について説明する。
【００６０】
＜第１の区別＞
ＵＥは、各設定グラント構成のインデックスに基づいて、ＵＥに設定される一以上の設定グラント構成を区別してもよい。当該インデックスは、構成インデックス、設定グラント構成インデックス、識別子（ＩＤ）、構成ＩＤ、設定グラント構成ＩＤ等とも呼ばれる。
【００６１】
或いは、ＵＥは、一以上の設定グラントセットのインデックスに基づいて、ＵＥに設定される一以上の設定グラントセットを区別してもよい。当該インデックスは、設定グラントセットインデックス、セットインデックス、グループインデックス、構成グループインデックス、識別子（ＩＤ）、設定グラントセットＩＤ、セットＩＤ、グループＩＤ、構成グループＩＤ等とも呼ばれる。
【００６２】
≪設定グラント構成の区別≫
各設定グラント構成は、一つの構成インデックスを有してもよい。複数の設定グラント構成がＵＥに設定される場合、当該複数の設定グラント構成は、それぞれ、異なる構成インデックス（構成インデックス値）を有してもよい。或いは、当該複数の設定グラント構成の少なくとも２つは、同一の構成インデックス（構成インデックス値）を有してもよい。
【００６３】
図３Ａ及び３Ｂは、第１の態様に係る設定グラント構成の第１の区別の一例を示す図である。例えば、図３Ａに示されるユースケース１では、ＵＥは、異なるトラフィックタイプ用に設定される複数の設定グラント構成を、それぞれ、異なる値の構成インデックスを用いて区別してもよい。
【００６４】
また、図３Ｂに示されるユースケース２では、同一のトラフィックタイプに属するＭ（Ｍ≧１）個の設定グラント構成は、同一の値の構成インデックスを有してもよいし、異なる値の構成インデックスを有してもよい。例えば、図３Ｂでは、あるトラフィックタイプ用にＭ＝４の設定グラント構成が設定され、他のトラフィックタイプ用にＭ＝１の設定グラント構成が設定される。
【００６５】
図３Ｂにおいて、同一のトラフィックタイプに属するＭ個の設定グラント構成は、同一の値の構成インデックスを有してもよいし、異なる値の構成インデックスを有してもよい。例えば、図３Ｂでは、４個の設定グラント構成は同一の構成インデックス“０”を有し、１個の設定グラント構成は構成インデックス“１”を有する。
【００６６】
≪設定グラントセットの区別≫
各設定グラントセットは、一つのセットインデックスを有してもよい。一以上の設定グラントセットがＵＥに設定される場合、各設定グラントセットは、異なるセットインデックス（セットインデックス値）を有してもよい。
【００６７】
例えば、図３Ｂに示されるユースケース２では、２つの設定グラントセットがＵＥに設定されてもよい。各設定グラントセットはセットインデックスによって区別されてもよい。例えば、図３Ｂでは、４個の設定グラント構成を含む設定グラントセットは、セットインデックス“０”を有し、１個の設定グラント構成を含む設定グラントセットは、セットインデックス“１”を有する。
【００６８】
なお、各設定グラントセット内のＭ個の設定グラント構成は、上述の構成インデックスによって区別されてもよい。
【００６９】
＜第２の区別＞
ＵＥは、各設定グラント構成のＲＮＴＩに基づいて、ＵＥに設定される一以上の設定グラント構成を区別してもよい。当該ＲＮＴＩは、例えば、各設定グラント構成のアクティブ化又は非アクティブ化の制御に用いられるＤＣＩのＣＲＣスクランブルに用いられてもよい。また、当該ＲＮＴＩは、各設定グラント構成のデータのＣＲＣスクランブルに用いられてもよい。
【００７０】
或いは、ＵＥは、一以上の設定グラントセットのＲＮＴＩに基づいて、ＵＥに設定される一以上の設定グラントセットを区別してもよい。当該ＲＮＴＩは、例えば、各設定グラントセットのアクティブ化又は非アクティブ化の制御に用いられるＤＣＩのＣＲＣスクランブルに用いられてもよい。
【００７１】
≪設定グラント構成の区別≫
各設定グラント構成は、一つのＲＮＴＩを有してもよい。複数の設定グラント構成がＵＥに設定される場合、当該複数の設定グラント構成は、それぞれ、異なるＲＮＴＩ（ＲＮＴＩ値）を有してもよい。或いは、当該複数の設定グラント構成の少なくとも２つは、同一のＲＮＴＩ（ＲＮＴＩ値）を有してもよい。
【００７２】
図４Ａ及び４Ｂは、第１の態様に係る設定グラント構成の第２の区別の一例を示す図である。例えば、図４Ａに示されるユースケース１では、ＵＥは、異なるトラフィックタイプ用に設定される複数の設定グラント構成を、それぞれ、異なるＲＮＴＩを用いて区別してもよい。
【００７３】
異なるＲＮＴＩとは、異なる種類のＲＮＴＩ（例えば、図４Ａでは、Ｘ＿ＲＮＴＩ及びＹ＿ＲＮＴＩ）であってもよい。なお、Ｘ＿ＲＮＴＩ、Ｙ＿ＲＮＴＩの「Ｘ」、「Ｙ」は、それぞれ、任意の一以上の文字列であればよく、異なる種類のＲＮＴＩが識別できればよい。或いは、図示しないが、異なるＲＮＴＩは、同一種類のＲＮＴＩ（例えば、Ｘ＿ＲＮＴＩ）の異なる値であってもよい。
【００７４】
また、図４Ｂに示されるユースケース２では、同一のトラフィックタイプに属するＭ（Ｍ≧１）個の設定グラント構成は、同一のＲＮＴＩ（又はＲＮＴＩ値）を有してもよいし、異なるＲＮＴＩ（又はＲＮＴＩ値）を有してもよい。例えば、図４Ｂでは、あるトラフィックタイプ用にＭ＝４の設定グラント構成が設定され、他のトラフィックタイプ用にＭ＝１の設定グラント構成が設定される。
【００７５】
図４Ｂにおいて、同一のトラフィックタイプに属するＭ個の設定グラント構成は、同一のＲＮＴＩ（又はＲＮＴＩ値）を有してもよいし、異なるＲＮＴＩ（又はＲＮＴＩ値）を有してもよい。例えば、図４Ｂでは、４個の設定グラント構成はＸ＿ＲＮＴＩを有し、１個の設定グラント構成はＹ＿ＲＮＴＩを有する。なお、Ｘ＿ＲＮＴＩ及びＹ＿ＲＮＴＩは、異なる種類のＲＮＴＩであってもよいし、同一種類の異なる値のＲＮＴＩであってもよい。
【００７６】
≪設定グラントセットの区別≫
各設定グラントセットは、一つのＲＮＴＩを有してもよい。一以上の設定グラントセットがＵＥに設定される場合、各設定グラントセットは、異なるＲＮＴＩ（ＲＮＴＩ値）を有してもよい。
【００７７】
例えば、図４Ｂに示されるユースケース２では、２つの設定グラントセットがＵＥに設定されてもよい。各設定グラントセットはＲＮＴＩによって区別されてもよい。例えば、図４Ｂでは、４個の設定グラント構成を含む設定グラントセットは、Ｘ＿ＲＮＴＩを有し、１個の設定グラント構成を含む設定グラントセットは、Ｙ＿ＲＮＴＩを有する。
【００７８】
なお、各設定グラントセット内のＭ個の設定グラント構成は、上述の構成インデックス又はＲＮＴＩによって区別されてもよい。設定グラントセットの区別に用いられるＲＮＴＩと、当該設定グラントセット内の各設定グラント構成の区別に用いられるＲＮＴＩとは、異なる種類又は値であってもよい。
【００７９】
＜第３の区別＞
ＵＥは、一以上のパラメータ（例えば、各設定グラント構成のインデックスを示す一以上のパラメータ）に基づいて、ＵＥに設定される一以上の設定グラント構成を区別してもよい。当該一以上のパラメータは、新たに規定されるパラメータ及び既存のパラメータの少なくとも一つであればよい。
【００８０】
或いは、ＵＥは、一以上のパラメータ（例えば、各設定グラントセットのインデックスを示す一以上のパラメータ）に基づいて、ＵＥに設定される一以上の設定グラントセットを区別してもよい。当該一以上のパラメータは、新たに規定されるパラメータ及び既存のパラメータの少なくとも一つであればよい。
【００８１】
例えば、各設定グラント構成の区別に用いられる一以上のパラメータは、各設定グラント構成に割り当てられるＨＡＲＱプロセス番号（ＨＰＮ：HARQ  Process  Number）、ＨＡＲＱ  ＩＤ又はＨＡＲＱプロセスＩＤを含んでもよい。
【００８２】
同様に、各設定グラントセットの区別に用いられる一以上のパラメータは、各設定グラント構成に割り当てられるＨＡＲＱプロセス番号（ＨＰＮ）、ＨＡＲＱ  ＩＤ又はＨＡＲＱプロセスＩＤを含んでもよい。
【００８３】
第１の態様によれば、ＵＥに設定される一以上の設定グラント構成又は一以上の設定グラントセットを適切に区別できる。
【００８４】
（第２の態様）
第２の態様では、ＵＥに設定される一以上の設定グラント構成又は一以上の設定グラントセットのアクティブ化又は非アクティブ化の制御について説明する。
【００８５】
ＵＥは、ＤＣＩに基づいて、ＵＥに設定される一以上の設定グラント構成又は一以上の設定グラントセットのアクティブ化又は非アクティブ化を制御してもよい。
【００８６】
＜アクティブ化制御＞
単一のＤＣＩ（例えば、ＵＬではＤＣＩフォーマット０＿０又は０＿１、ＤＬではＤＣＩフォーマット１＿０又は１＿１）は、一以上の設定グラント構成又は一以上の設定グラントセットのアクティブ化を指定してもよい。
【００８７】
≪ＤＣＩ内の所定フィールド値を用いる場合≫
ＵＥは、当該ＤＣＩ内の所定ビット（一以上のフィールドの所定ビット）の値（コードポイント）に基づいて、アクティブ化する一以上の設定グラント構成又は一以上の設定グラントセットを決定してもよい。
【００８８】
当該一以上のフィールドは、新たなフィールド、及び、既存のフィールドの少なくとも一つを含んでもよい。当該既存のフィールドは、例えば、ＨＰＮフィールド、冗長バージョン（ＲＶ：Redundancy  Version）フィールドの少なくとも一つであってもよい。
【００８９】
例えば、ＤＣＩ内の一以上のフィールドの所定ビットの各値は、一以上の構成インデックス（設定グラント構成）又は一以上のセットインデックス（設定グラントセット）を示してもよい。各値が示す構成インデックス（設定グラント構成）又はセットインデックス（設定グラントセット）は、上位レイヤシグナリングによりＵＥに設定されてもよい。
【００９０】
また、当該ＤＣＩ内の一以上のフィールドの所定ビットの特定の値は、ＵＥに設定される全ての設定グラント構成又は設定グラントセットを示してもよい。
【００９１】
なお、複数の設定グラント構成が同一の構成インデックスを共用する（share）場合、当該構成インデックスは特定の値（例えば、図３Ｂでは、“０”）にセットされてもよい。当該特定の値は、上位レイヤシグナリングにより設定されてもよいし、予め定められていてもよい。
【００９２】
図５は、第２の態様に係るＤＣＩ内の一以上のフィールドの値の一例を示す図である。図５では、ＤＣＩ内のＨＰＮフィールドの所定ビット（例えば、３ＬＳＢ）の値（コードポイント）が構成インデックスを示す一例が示される。
【００９３】
例えば、図５では、ＵＥに構成インデックス“０”〜“３”で識別される複数の設定グラント構成が設定されるものとする。なお、図３Ｂで例示したように、一つの構成インデックス値は、一以上の設定グラント構成に関連付けられてもよい。
【００９４】
例えば、図５に示すように、ＨＰＮフィールドの３ＬＳＢの値「０００」〜「０１１」は、それぞれ、単一の構成インデックスを示す。また、値「１００」は、ＵＥに設定される全ての設定グラント構成の構成インデックスを示す。また、値「１０１」、「１１０」は、それぞれ、複数の構成インデックスを示す。
【００９５】
なお、図５は例示にすぎず、ＤＣＩ内のどのようなフィールドの所定ビットの各コードポイントが一以上の構成インデックス（設定グラント構成）を示してもよい。また、ＤＣＩ内のどのようなフィールドの所定ビットの各値が一以上のセットインデックス（設定グラントセット）を示してもよい。
【００９６】
また、ＤＣＩ内の第１のフィールドの所定ビットの各値が一以上のセットインデックス（設定グラントセット）を示し、ＤＣＩ内の第２のフィールドの所定ビットの各値が一以上の構成インデックス（設定グラント構成）を示してもよい。これにより、設定グラントセット毎だけでなく、設定グラントセット内の設定グラント構成毎にアクティブ化を制御できる。
【００９７】
≪ＤＣＩフォーマットを用いる場合≫
ＵＥは、特定のＤＣＩフォーマットに基づいて、アクティブ化する一以上の設定グラント構成又は一以上の設定グラントセットを決定してもよい。
【００９８】
例えば、特定のＤＣＩフォーマット（例えば、ＵＬではＤＣＩフォーマット０＿０、ＤＬではＤＣＩフォーマット１＿０）は、ＵＥに設定される全ての設定グラント構成又は全ての設定グラントセットのアクティブ化に用いられてもよい。
【００９９】
一方、他のＤＣＩフォーマット（例えば、ＵＬではＤＣＩフォーマット０＿１、ＤＬではＤＣＩフォーマット１＿１）は、ＵＥに設定される特定の設定グラント構成又は特定の設定グラントセットのアクティブ化に用いられてもよい。当該特定の設定グラント構成又は当該特定の設定グラントセットは、当該他のＤＣＩフォーマット内の一以上のフィールドの所定ビットの値によって指定されてもよい。
【０１００】
＜非アクティブ化制御＞
ＵＥは、特定のＤＣＩフォーマット（例えば、ＵＬではＤＣＩフォーマット０＿０及び０＿１の少なくとも一つ、ＤＬではＤＣＩフォーマット１＿０及び１＿１の少なくとも一つ）に基づいて、当該ＵＥに設定される一以上の設定グラント構成又は一以上の設定グラントセットの非アクティブ化を制御してもよい。
【０１０１】
また、単一のＤＣＩ（例えば、ＵＬではＤＣＩフォーマット０＿０又は０＿１、ＤＬではＤＣＩフォーマット１＿０又は１＿１）は、一以上の設定グラント構成又は一以上の設定グラントセットの非アクティブ化を指定してもよい。
【０１０２】
≪ＤＣＩ内の所定フィールド値を用いる場合≫
ＵＥは、当該ＤＣＩ内の一以上のフィールドの所定ビットの値（コードポイント）に基づいて、非アクティブ化する一以上の設定グラント構成又は一以上の設定グラントセットを決定してもよい。当該一以上のフィールドは、新たなフィールド、及び、既存のフィールドの少なくとも一つを含んでもよい。当該既存のフィールドは、例えば、ＨＰＮフィールド及びＲＶフィールドの少なくとも一つであってもよい。
【０１０３】
例えば、ＤＣＩ内の一以上のフィールドの所定ビットの各値は、一以上の構成インデックス（設定グラント構成）又は一以上のセットインデックス（設定グラントセット）を示してもよい。各値が示す構成インデックス（設定グラント構成）又はセットインデックス（設定グラントセット）は、上位レイヤシグナリングによりＵＥに設定されてもよい。
【０１０４】
また、当該ＤＣＩ内の一以上のフィールドの所定ビットの特定の値は、ＵＥに設定される全ての設定グラント構成又は設定グラントセットを示してもよい。
【０１０５】
なお、複数の設定グラント構成が同一の構成インデックスを共用する場合、当該構成インデックスは特定の値（例えば、図３Ｂでは、“０”）にセットされてもよい。当該特定の値は、上位レイヤシグナリングにより設定されてもよいし、予め定められていてもよい。
【０１０６】
また、ＤＣＩ内の第１のフィールドの所定ビットの各値が一以上のセットインデックス（設定グラントセット）を示し、ＤＣＩ内の第２のフィールドの所定ビットの各値が一以上の構成インデックス（設定グラント構成）を示してもよい。これにより、設定グラントセット毎だけでなく、設定グラントセット内の設定グラント構成毎に非アクティブ化を制御できる。
【０１０７】
≪ＤＣＩフォーマットを用いる場合≫
ＵＥは、特定のＤＣＩフォーマットに基づいて、非アクティブ化する一以上の設定グラント構成又は一以上の設定グラントセットを決定してもよい。
【０１０８】
例えば、特定のＤＣＩフォーマット（例えば、ＵＬではＤＣＩフォーマット０＿０、ＤＬではＤＣＩフォーマット１＿０）は、ＵＥに設定される全ての設定グラント構成又は全ての設定グラントセットの非アクティブ化に用いられてもよい。
【０１０９】
一方、他のＤＣＩフォーマット（例えば、ＵＬではＤＣＩフォーマット０＿１、ＤＬではＤＣＩフォーマット１＿１）は、ＵＥに設定される特定の設定グラント構成又は特定の設定グラントセットの非アクティブ化に用いられてもよい。当該特定の設定グラント構成又は当該特定の設定グラントセットは、当該他のＤＣＩフォーマット内の一以上のフィールドの所定ビットの値によって指定されてもよい。
【０１１０】
＜その他＞
なお、上述のアクティブ化又は非アクティブ化の制御に用いられるＤＣＩ内の一以上のフィールドのビット数（ビット幅（bitwidth）、サイズ）は、上位レイヤシグナリングにより設定されてもよい。或いは、ＵＥは、当該ＵＥに設定される設定グラント構成の数又は設定グラントセットの数に基づいて、当該ビット数を決定してもよい。
【０１１１】
また、ＵＥは、アクティブ化又は非アクティブ化の制御に用いられるＤＣＩ内の一以上のフィールドの所定ビットの各値（コードポイント）と、構成インデックス又はセットインデックスとのマッピングを、所定のルールに基づいて制御してもよい。
【０１１２】
例えば、各コードポイントには、上位レイヤシグナリングにより設定される構成インデックス又はセットインデックスの昇順に、構成インデックス又はセットインデックスがマッピングされてもよい。図５に示すように、一つの構成インデックス又はセットインデックスをコードポイントにマッピングした後に余ったコードポイント（例えば、図５では、「１００」、「１０１」及び「１１０」）には、複数の構成インデックス又はセットインデックスがマッピングされてもよい。
【０１１３】
また、上記コードポイント数よりも多い数の構成インデックス又はセットインデックスが上位レイヤシグナリングにより設定される場合、ＵＥは、所定のコマンド（例えば、ＭＡＣ制御要素（ＭＡＣ  ＣＥ：Medium  Access  Control  Control  Element）による選択コマンド）を用いて、各コードポイントにマッピングされる構成インデックス又はセットインデックスを選択してもよい。
【０１１４】
第２の態様によれば、ＵＥに設定される一以上の設定グラント構成又は一以上の設定グラントセットのアクティブ化又は非アクティブ化を適切に制御できる。
【０１１５】
（第３の態様）
第３の態様では、ＵＥに設定されるＲｅｌ．１５用の設定グラント（Ｒｅｌ．１５  ＣＧ）及びＲｅｌ．１６用の設定グラント（Ｒｅｌ．１６  ＣＧ）との区別について説明する。
【０１１６】
具体的には、ＤＣＩフォーマット（第１の区別）又はＲＮＴＩ（第２の区別）を用いた、Ｒｅｌ．１５  ＣＧ及びＲｅｌ．１６  ＣＧの区別について説明する。
【０１１７】
＜第１の区別＞
ＵＥは、ＤＣＩフォーマット又は当該ＤＣＩフォーマットのサイズの少なくとも一つに基づいて、Ｒｅｌ．１５  ＣＧ及びＲｅｌ．１６  ＣＧを区別してもよい。
【０１１８】
Ｒｅｌ．１５  ＣＧのアクティブ化、非アクティブ化、再送の少なくとも一つには、Ｒｅｌ．１５  ＣＧ用のＤＣＩフォーマット又は当該Ｒｅｌ．１５  ＣＧ用のＤＣＩフォーマットのサイズが用いられる。
【０１１９】
Ｒｅｌ．１６  ＣＧのアクティブ化、非アクティブ化、再送の少なくとも一つには、Ｒｅｌ．１５  ＣＧ用のＤＣＩフォーマットとは異なるＤＣＩフォーマット、又は、Ｒｅｌ．１５  ＣＧ用のＤＣＩフォーマットとは異なるサイズのＤＣＩフォーマットが用いられてもよい。
【０１２０】
なお、パディング後のＲｅｌ．１５  ＣＧ用のＤＣＩフォーマットのサイズが、パディング後のＲｅｌ．１６  ＣＧ用のＤＣＩフォーマットのサイズと一致するなら、Ｒｅｌ．１６  ＣＧ用のＤＣＩフォーマットには所定数のビット（例えば、１ビット）が追加されてもよい。
【０１２１】
＜第２の区別＞
ＵＥは、データ及びＤＣＩフォーマットの少なくとも一つのＣＲＣスクランブルに用いられるＲＮＴＩに基づいて、Ｒｅｌ．１５  ＣＧ及びＲｅｌ．１６  ＣＧを区別してもよい。
【０１２２】
Ｒｅｌ．１５  ＣＧ送信用のデータは、ＣＳ−ＲＮＴＩ（Configured  Scheduling  RNTI）を用いてＣＲＣスクランブルされる。また、Ｒｅｌ．１５  ＣＧのアクティブ化、非アクティブ化、再送の少なくとも一つに用いられるＤＣＩフォーマット（例えば、ＤＣＩフォーマット０＿０又は０＿１）は、ＣＳ−ＲＮＴＩを用いてＣＲＣスクランブルされる。
【０１２３】
Ｒｅｌ．１６  ＣＧ送信用のデータは、ＣＳ−ＲＮＴＩとは異なるＲＮＴＩを用いてＣＲＣスクランブルされてもよい。また、Ｒｅｌ．１６  ＣＧのアクティブ化、非アクティブ化、再送の少なくとも一つに用いられるＤＣＩフォーマット（例えば、ＤＣＩフォーマット０＿０又は０＿１）は、ＣＳ−ＲＮＴＩとは異なるＲＮＴＩを用いてＣＲＣスクランブルされる。
【０１２４】
ＣＳ−ＲＮＴＩとは異なるＲＮＴＩは、Ｒｅｌ．１５のＵＲＬＬＣ用のｍｃｓ−ｃ−ＲＮＴＩとは異なる新たなＲＮＴＩであってもよい。当該新たなＲＮＴＩは、Ｘ−ＲＮＴＩ（Ｘは任意の文字列）と呼ばれてもよい。
【０１２５】
＜Ｒｅｌ．１６  ＣＧ用のパラメータの設定＞
Ｒｅｌ．１５  ＣＧでは、ＵＥは、上位レイヤで設定される設定グラント構成（例えば、情報要素（ＩＥ）「ConfiguredGrantConfig」）に含まれない一以上のパラメータについて、上位レイヤで設定されるＰＵＳＣＨの構成（例えば、ＩＥ「PUSCH-Config」）に従ってもよい。
【０１２６】
Ｒｅｌ．１５  ＣＧの設定グラント構成に含まれないパラメータは、例えば、以下の（１）〜（６）の少なくとも一つを含んでもよい。
（１）ＰＵＳＣＨ用のデータスクランブル（c_init）の初期化用の識別子（ＩＥ「dataScramblingIdentityPUSCH」）、
（２）ＵＥが、コードブックベース送信又は非コードブックベース送信のどちらを用いるかを示すパラメータ（ＩＥ「txConfig」又はＩＥ「ulTxConfig」）、
（３）ＴＰＭＩ（Transmitted  Precoding  Matrix  Indicator）によって解決される（addressed）ＰＭＩ（Precoding  Matrix  Indicator）のサブセットを示す情報（ＩＥ「codebookSubset」又はＬ１パラメータ「ULCodebookSubset」）、
（４）ＴＲＩによって解決されるＰＭＩのサブセットを示す情報（ＩＥ「maxRank」又はＩＥ「ULmaxRank」）、
（５）ＰＵＳＣＨを用いたＵＣＩの送信に関する情報（ＩＥ「UCI-OnPUSCH」又はＬ１パラメータ「UCI-on-PUSCH」）（例えば、ベータオフセット及びＰＵＳＣＨで送信されるＵＣＩに割り当てられるリソース要素の数を制限するためのスケーリング係数（scaling  factor））、
（６）ＰＵＳＣＨのトランスフォームプリコーダーのＵＥ固有の選択に関する情報（ＩＥ「tp-pi2BPSK」又はＬ１パラメータ「PUSCH-tp」）。
【０１２７】
一方、Ｒｅｌ．１６  ＣＧ用のＰＵＳＣＨは、Ｒｅｌ．１６  ＣＧ用の設定グラント構成で提供されるパラメータを用いて構成されてもよい。例えば、上記（１）〜（６）の少なくとも一つのパラメータは、Ｒｅｌ．１６  ＣＧでは用いられなくともよい。上述の（１）〜（６）の少なくとも一つのパラメータは、Ｒｅｌ．１６  ＣＧ用の設定グラント構成に含まれるか、或いは、仕様で予め規定（pre-defined）されてもよい。
【０１２８】
或いは、Ｒｅｌ．１６  ＣＧにおいても、Ｒｅｌ．１６  ＣＧ用の設定グラント構成で提供されない一以上のパラメータが、上位レイヤで設定されるＰＵＳＣＨの構成（例えば、ＩＥ「PUSCH-Config」）に従ってもよい。例えば、上述の（１）〜（６）の少なくとも一つのパラメータは、Ｒｅｌ．１６のＰＵＳＣＨの構成に含まれてもよい。
【０１２９】
第３の態様によれば、ＵＥに設定されるＲｅｌ．１５  ＣＧ及びＲｅｌ．１６  ＣＧを適切に区別でき、Ｒｅｌ．１５  ＣＧ及びＲｅｌ．１６  ＣＧをサポートするＵＥが適切に設定グラントを用いた通信を行うことができる。
【０１３０】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１３１】
図６は、一実施形態に係る無線通信システムの概略構成の一例を示す図である。無線通信システム１は、３ＧＰＰ（Third  Generation  Partnership  Project）によって仕様化されるＬＴＥ（Long  Term  Evolution）、５Ｇ  ＮＲ（5th  generation  mobile  communication  system  New  Radio）などを用いて通信を実現するシステムであってもよい。
【０１３２】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ：Evolved  Universal  Terrestrial  Radio  Access）とＮＲとのデュアルコネクティビティ（ＥＮ−ＤＣ：E-UTRA-NR  Dual  Connectivity）、ＮＲとＬＴＥとのデュアルコネクティビティ（ＮＥ−ＤＣ：NR-E-UTRA  Dual  Connectivity）などを含んでもよい。
【０１３３】
ＥＮ−ＤＣでは、ＬＴＥ（Ｅ−ＵＴＲＡ）の基地局（ｅＮＢ）がマスターノード（ＭＮ：Master  Node）であり、ＮＲの基地局（ｇＮＢ）がセカンダリーノード（ＳＮ：Secondary  Node）である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１３４】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（ＮＮ−ＤＣ：NR-NR  Dual  Connectivity））をサポートしてもよい。
【０１３５】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１３６】
ユーザ端末２０は、複数の基地局１０のうち、少なくとも１つに接続してもよい。ユーザ端末２０は、複数のコンポーネントキャリア（ＣＣ：Component  Carrier）を用いたキャリアアグリゲーション（Carrier  Aggregation）及びデュアルコネクティビティ（ＤＣ）の少なくとも一方を利用してもよい。
【０１３７】
各ＣＣは、第１の周波数帯（ＦＲ１：Frequency  Range  1）及び第２の周波数帯（ＦＲ２：Frequency  Range  2）の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１３８】
また、ユーザ端末２０は、各ＣＣにおいて、時分割複信（ＴＤＤ：Time  Division  Duplex）及び周波数分割複信（ＦＤＤ：Frequency  Division  Duplex）の少なくとも１つを用いて通信を行ってもよい。
【０１３９】
複数の基地局１０は、有線（例えば、ＣＰＲＩ（Common  Public  Radio  Interface）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はＩＡＢ（Integrated  Access  Backhaul）ドナー、中継局（リレー）に該当する基地局１２はＩＡＢノードと呼ばれてもよい。
【０１４０】
基地局１０は、他の基地局１０を介して、又は直接コアネットワーク３０に接続されてもよい。コアネットワーク３０は、例えば、ＥＰＣ（Evolved  Packet  Core）、５ＧＣＮ（5G  Core  Network）、ＮＧＣ（Next  Generation  Core）などの少なくとも１つを含んでもよい。
【０１４１】
ユーザ端末２０は、ＬＴＥ、ＬＴＥ−Ａ、５Ｇなどの通信方式の少なくとも１つに対応した端末であってもよい。
【０１４２】
無線通信システム１においては、直交周波数分割多重（ＯＦＤＭ：Orthogonal  Frequency  Division  Multiplexing）ベースの無線アクセス方式が利用されてもよい。例えば、下りリンク（ＤＬ：Downlink）及び上りリンク（ＵＬ：Uplink）の少なくとも一方において、ＣＰ−ＯＦＤＭ（Cyclic  Prefix  OFDM）、ＤＦＴ−ｓ−ＯＦＤＭ（Discrete  Fourier  Transform  Spread  OFDM）、ＯＦＤＭＡ（Orthogonal  Frequency  Division  Multiple  Access）、ＳＣ−ＦＤＭＡ（Single  Carrier  Frequency  Division  Multiple  Access）などが利用されてもよい。
【０１４３】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１４４】
無線通信システム１では、下りリンクチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネル（ＰＤＣＣＨ：Physical  Downlink  Control  Channel）などが用いられてもよい。
【０１４５】
また、無線通信システム１では、上りリンクチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられてもよい。
【０１４６】
ＰＤＳＣＨによって、ユーザデータ、上位レイヤ制御情報、ＳＩＢ（System  Information  Block）などが伝送される。ＰＵＳＣＨによって、ユーザデータ、上位レイヤ制御情報などが伝送されてもよい。また、ＰＢＣＨによって、ＭＩＢ（Master  Information  Block）が伝送されてもよい。
【０１４７】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（ＤＣＩ：Downlink  Control  Information）を含んでもよい。
【０１４８】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１４９】
ＰＤＣＣＨの検出には、制御リソースセット（ＣＯＲＥＳＥＴ：COntrol  REsource  SET）及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１５０】
１つのＳＳは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１５１】
ＰＵＣＣＨによって、チャネル状態情報（ＣＳＩ：Channel  State  Information）、送達確認情報（例えば、ＨＡＲＱ−ＡＣＫ（Hybrid  Automatic  Repeat  reQuest  ACKnowledgement）、ＡＣＫ／ＮＡＣＫなどと呼ばれてもよい）、スケジューリングリクエスト（ＳＲ：Scheduling  Request）などが伝送されてもよい。ＰＲＡＣＨによって、セルとの接続確立のためのランダムアクセスプリアンブルが伝送されてもよい。
【０１５２】
なお、本開示において下りリンク、上りリンクなどは「リンク」を付けずに表現されてもよい。また、各種チャネルの先頭に「物理（Physical）」を付けずに表現されてもよい。
【０１５３】
無線通信システム１では、同期信号（ＳＳ：Synchronization  Signal）、下りリンク参照信号（ＤＬ−ＲＳ：Downlink  Reference  Signal）などが伝送されてもよい。無線通信システム１では、ＤＬ−ＲＳとして、セル固有参照信号（ＣＲＳ：Cell-specific  Reference  Signal）、チャネル状態情報参照信号（ＣＳＩ−ＲＳ：Channel  State  Information  Reference  Signal）、復調用参照信号（ＤＭＲＳ：DeModulation  Reference  Signal）、位置決定参照信号（ＰＲＳ：Positioning  Reference  Signal）、位相トラッキング参照信号（ＰＴＲＳ：Phase  Tracking  Reference  Signal）などが伝送されてもよい。
【０１５４】
同期信号は、例えば、プライマリ同期信号（ＰＳＳ：Primary  Synchronization  Signal）及びセカンダリ同期信号（ＳＳＳ：Secondary  Synchronization  Signal）の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、ＳＳＢ（SS  Block）などと呼ばれてもよい。なお、ＳＳ、ＳＳＢなども、参照信号と呼ばれてもよい。
【０１５５】
また、無線通信システム１では、上りリンク参照信号（ＵＬ−ＲＳ：Uplink  Reference  Signal）として、測定用参照信号（ＳＲＳ：Sounding  Reference  Signal）、復調用参照信号（ＤＭＲＳ）などが伝送されてもよい。なお、ＤＭＲＳはユーザ端末固有参照信号（UE-specific  Reference  Signal）と呼ばれてもよい。
【０１５６】
（基地局）
図７は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１５７】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１５８】
制御部１１０は、基地局１０全体の制御を実施する。制御部１１０は、本開示に係る技術分野での共通認識に基づいて説明されるコントローラ、制御回路などから構成することができる。
【０１５９】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１６０】
送受信部１２０は、ベースバンド（baseband）部１２１、ＲＦ（Radio  Frequency）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１６１】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１６２】
送受信アンテナ１３０は、本開示に係る技術分野での共通認識に基づいて説明されるアンテナ、例えばアレイアンテナなどから構成することができる。
【０１６３】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１６４】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１６５】
送受信部１２０（送信処理部１２１１）は、例えば制御部１１０から取得したデータ、制御情報などに対して、ＰＤＣＰ（Packet  Data  Convergence  Protocol）レイヤの処理、ＲＬＣ（Radio  Link  Control）レイヤの処理（例えば、ＲＬＣ再送制御）、ＭＡＣ（Medium  Access  Control）レイヤの処理（例えば、ＨＡＲＱ再送制御）などを行い、送信するビット列を生成してもよい。
【０１６６】
送受信部１２０（送信処理部１２１１）は、送信するビット列に対して、チャネル符号化（誤り訂正符号化を含んでもよい）、変調、マッピング、フィルタ処理、離散フーリエ変換（ＤＦＴ：Discrete  Fourier  Transform）処理（必要に応じて）、逆高速フーリエ変換（ＩＦＦＴ：Inverse  Fast  Fourier  Transform）処理、プリコーディング、デジタル−アナログ変換などの送信処理を行い、ベースバンド信号を出力してもよい。
【０１６７】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１６８】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１６９】
送受信部１２０（受信処理部１２１２）は、取得されたベースバンド信号に対して、アナログ−デジタル変換、高速フーリエ変換（ＦＦＴ：Fast  Fourier  Transform）処理、逆離散フーリエ変換（ＩＤＦＴ：Inverse  Discrete  Fourier  Transform）処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１７０】
送受信部１２０（測定部１２３）は、受信した信号に関する測定を実施してもよい。例えば、測定部１２３は、受信した信号に基づいて、ＲＲＭ（Radio  Resource  Management）測定、ＣＳＩ（Channel  State  Information）測定などを行ってもよい。測定部１２３は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部１１０に出力されてもよい。
【０１７１】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１７２】
なお、本開示における基地局１０の送信部及び受信部は、送受信部１２０、送受信アンテナ１３０及び伝送路インターフェース１４０の少なくとも１つによって構成されてもよい。
【０１７３】
なお、送受信部１２０は、一以上の設定グラントの構成情報（設定グラント構成）を送信してもよい。また、送受信部２２０は、一以上の設定グラントの構成情報をそれぞれ含む一以上のセット（設定グラントセット）を送信してもよい。例えば、送受信部２２０は、上位レイヤシグナリングにより、当該構成情報又はセットを送信してもよい。
【０１７４】
また、送受信部１２０は、設定グラントの構成情報のアクティベーション又はディアクティベーションのための下り制御情報又はＭＡＣ  ＣＥを送信してもよい。
【０１７５】
なお、制御部１１０は、前記一以上の設定グラントの構成情報、及び、前記一以上の設定グラントの構成情報を含むセットの少なくとも一つの区別を制御してもよい（第１の態様）。
【０１７６】
具体的には、制御部１１０は、前記構成情報の各々に付与されるインデックス、又は、前記セットに付与されるインデックスに基づいて、前記構成情報及び前記セットの少なくとも一つの区別を制御してもよい（第１の態様、第１の区別）。
【０１７７】
また、制御部１１０は、前記構成情報の各々に用いられる無線ネットワーク一時識別子（ＲＮＴＩ）、又は、前記セットに用いられる無線ネットワーク一時識別子（ＲＮＴＩ）に基づいて、前記構成情報及び前記セットの少なくとも一つの区別を制御してもよい（第１の態様、第２の区別）。
【０１７８】
また、制御部１１０は、下り制御情報内の所定ビットの値に基づいて、前記構成情報の少なくとも一つ又は前記セットのアクティブ化又は非アクティブ化を制御してもよい（第２の態様）。
【０１７９】
また、制御部１１０は、前記所定ビットの各値と前記構成情報又は前記セットとのマッピングを制御してもよい（第２の態様）。
【０１８０】
また、制御部１１０は、前記構成情報の各々に用いられる下り制御情報のフォーマット及びサイズの少なくとも一つ、又は、前記構成情報の各々に用いられる無線ネットワーク一時識別子（ＲＮＴＩ）に基づいて、第１のリリース（例えば、Ｒｅｌ．１６）用の設定グラントの構成情報と、第２のリリース（例えば、Ｒｅｌ．１５）用の設定グラントの構成情報と、を区別してもよい（第３の態様）。
【０１８１】
（ユーザ端末）
図８は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１８２】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１８３】
制御部２１０は、ユーザ端末２０全体の制御を実施する。制御部２１０は、本開示に係る技術分野での共通認識に基づいて説明されるコントローラ、制御回路などから構成することができる。
【０１８４】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１８５】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１８６】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１８７】
送受信アンテナ２３０は、本開示に係る技術分野での共通認識に基づいて説明されるアンテナ、例えばアレイアンテナなどから構成することができる。
【０１８８】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１８９】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１９０】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１９１】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１９２】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１９３】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１９４】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１９５】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１９６】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１９７】
なお、本開示におけるユーザ端末２０の送信部及び受信部は、送受信部２２０、送受信アンテナ２３０及び伝送路インターフェース２４０の少なくとも１つによって構成されてもよい。
【０１９８】
なお、送受信部２２０は、一以上の設定グラントの構成情報を受信してもよい。また、送受信部２２０は、一以上の設定グラントの構成情報をそれぞれ含む一以上のセットを受信してもよい。例えば、送受信部２２０は、上位レイヤシグナリングにより、当該構成情報又はセットを受信してもよい。
【０１９９】
また、送受信部２２０は、設定グラントの構成情報のアクティベーション又はディアクティベーションのための下り制御情報又はＭＡＣ  ＣＥを受信してもよい。
【０２００】
なお、制御部２１０は、前記一以上の設定グラントの構成情報、及び、前記一以上の設定グラントの構成情報を含むセットの少なくとも一つの区別を制御してもよい（第１の態様）。
【０２０１】
具体的には、制御部２１０は、前記構成情報の各々に付与されるインデックス、又は、前記セットに付与されるインデックスに基づいて、前記構成情報及び前記セットの少なくとも一つの区別を制御してもよい（第１の態様、第１の区別）。
【０２０２】
また、制御部２１０は、前記構成情報の各々に用いられる無線ネットワーク一時識別子（ＲＮＴＩ）、又は、前記セットに用いられる無線ネットワーク一時識別子（ＲＮＴＩ）に基づいて、前記構成情報及び前記セットの少なくとも一つの区別を制御してもよい（第１の態様、第２の区別）。
【０２０３】
また、制御部２１０は、下り制御情報内の所定ビットの値に基づいて、前記構成情報の少なくとも一つ又は前記セットのアクティブ化又は非アクティブ化を制御してもよい（第２の態様）。
【０２０４】
また、制御部２１０は、前記所定ビットの各値と前記構成情報又は前記セットとのマッピングを制御してもよい（第２の態様）。
【０２０５】
また、制御部２１０は、前記構成情報の各々に用いられる下り制御情報のフォーマット及びサイズの少なくとも一つ、又は、前記構成情報の各々に用いられる無線ネットワーク一時識別子（ＲＮＴＩ）に基づいて、第１のリリース（例えば、Ｒｅｌ．１６）用の設定グラントの構成情報と、第２のリリース（例えば、Ｒｅｌ．１５）用の設定グラントの構成情報と、を区別してもよい（第３の態様）。
【０２０６】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０２０７】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０２０８】
例えば、本開示の一実施形態における基地局、ユーザ端末などは、本開示の無線通信方法の処理を行うコンピュータとして機能してもよい。図９は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２０９】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０２１０】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２１１】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２１２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１１０（２１０）、送受信部１２０（２２０）などの少なくとも一部は、プロセッサ１００１によって実現されてもよい。
【０２１３】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０２１４】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２１５】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２１６】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０２１７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２１８】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２１９】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２２０】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２２１】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２２２】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２２３】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２２４】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２２５】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２２６】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２２７】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２２８】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２２９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２３０】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２３１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２３２】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２３３】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２３４】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２３５】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２３６】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２３７】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２３８】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２３９】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２４０】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２４１】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２４２】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２４３】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２４４】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２４５】
情報の通知は、本開示において説明した態様／実施形態に限られず、他の方法を用いて行われてもよい。例えば、本開示における情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２４６】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０２４７】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２４８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２４９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２５０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２５１】
本開示において使用する「システム」及び「ネットワーク」という用語は、互換的に使用され得る。「ネットワーク」は、ネットワークに含まれる装置（例えば、基地局）のことを意味してもよい。
【０２５２】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２５３】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２５４】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２５５】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２５６】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２５７】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２５８】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２５９】
同様に、本開示におけるユーザ端末は、基地局で読み替えてもよい。この場合、上述のユーザ端末２０が有する機能を基地局１０が有する構成としてもよい。
【０２６０】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２６１】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２６２】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２６３】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２６４】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２６５】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２６６】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２６７】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２６８】
また、「判断（決定）」は、「想定する（assuming）」、「期待する（expecting）」、「みなす（considering）」などで読み替えられてもよい。
【０２６９】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２７０】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２７１】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２７２】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２７３】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２７４】
本開示において、例えば、英語でのa,  an及びtheのように、翻訳によって冠詞が追加された場合、本開示は、これらの冠詞の後に続く名詞が複数形であることを含んでもよい。
【０２７５】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020090093.tif 000003
【図２】
2020090093.tif 000004
【図３】
2020090093.tif 000005
【図４】
2020090093.tif 000006
【図５】
2020090093.tif 000007
【図６】
2020090093.tif 000008
【図７】
2020090093.tif 000009
【図８】
2020090093.tif 000010
【図９】
2020090093.tif 000011
【国際調査報告】
2020090093.tif 000012
2020090093.tif 000013
2020090093.tif 000014